(57)【特許請求の範囲】
【請求項１】
ユーザインターフェースロック解除方法であって、
ロック解除インターフェースがトリガされると、前記ロック解除インターフェースに直近で適用された履歴パスワードを決定し、および所定組のパスワードのうちの前記履歴パスワード以外の残りのパスワードから前記ロック解除インターフェースに適用可能なロック解除パスワードを選択することであって、前記履歴パスワードは、無効識別子に関連付けられる、ことと、
前記ロック解除パスワードに一致するユーザ入力パスワードを受信することに応えて、前記ロック解除インターフェースのロック状態を解除することであって、前記無効識別子は、前記ロック解除パスワードに一致する前記ユーザ入力パスワードを受信することに応えて、前記ロック解除パスワードに対して追加され、前記履歴パスワードに対応する前記無効識別子が取り除かれる、ことと
を備える方法。
【請求項２】
前記選択することは、前記履歴パスワード及び前記所定組のパスワードの所定順序を基に、前記履歴パスワードの隣の１組のパスワードを、前記ロック解除パスワードとして使用することを備える、請求項１に記載の方法。
【請求項３】
前記ロック解除パスワードに対応するプロンプト情報を決定することと、
前記プロンプト情報に従って、プロンプト動作を行うことと
をさらに備える、請求項１に記載の方法。
【請求項４】
前記プロンプト情報は、以下、すなわち視覚識別情報、マルチメディアファイルまたは振動制御情報のうちの少なくとも１つを備える、請求項３に記載の方法。
【請求項５】
ユーザインターフェースロック解除装置であって、
ロック解除インターフェースがトリガされると、前記ロック解除インターフェースに直近で適用された履歴パスワードを決定し、および所定組のパスワードのうちの前記履歴パスワード以外の残りのパスワードから前記ロック解除インターフェースに適用可能なロック解除パスワードを選択するように構成される選択ユニットであって、前記履歴パスワードは、無効識別子に関連付けられる、選択ユニットと、
前記ロック解除パスワードに一致するユーザ入力パスワードを受信すると、前記ロック解除インターフェースのロック状態を解除するように構成されるロック解除ユニットと、
前記ロック解除パスワードに一致する前記ユーザ入力パスワードを受信すると、前記ロック解除パスワードに対して前記無効識別子を追加し、前記履歴パスワードに対応する前記無効識別子を取り除くように構成される識別子処理ユニットと
を備える装置。
【請求項６】
前記選択ユニットは、前記履歴パスワード及び前記所定組のパスワードの所定順序を基に、前記履歴パスワードの隣の１組のパスワードを、前記ロック解除パスワードとして使用するように構成される、請求項５に記載の装置。
【請求項７】
前記ロック解除パスワードに対応するプロンプト情報を決定し、前記プロンプト情報に従ってプロンプト動作を行うように構成されるプロンプトユニットをさらに備える、請求項５に記載の装置。
【請求項８】
前記プロンプト情報は、以下、すなわち視覚識別情報、マルチメディアファイルまたは振動制御情報のうちの少なくとも１つを備える、請求項７に記載の装置。
【発明の詳細な説明】
【技術分野】
【０００１】
本出願は、端末技術の分野に関し、特にユーザインターフェースをロック解除するための方法及び装置に関する。
【背景技術】
【０００２】
個人のプライバシー及びデータセキュリティの考慮により、正しいロック解除パスワードが入力された場合にのみ、対応するユーザインターフェースがロック解除できるよう、追加のロック機能を有するアプリケーションの数が増加している。しかしながら、多くの状況では、ユーザは他人に見られている間にロック解除操作を完了しなければならず、これはロック解除パスワードが容易に他人に取得されることに繋がり、したがって重大なセキュリティ問題を引き起こす可能性がある。
【発明の概要】
【０００３】
したがって、本出願は新規の技術的解決法を提供し、解決法は、既存技術における、ロック解除パスワードが覗かれてセキュリティ問題が発生する可能性があるという技術的課題を解決することができる。
【０００４】
上記の目的を達成するために、本出願は以下の技術的解決法を提供する。
【０００５】
本出願の第１態様により、ユーザインターフェースロック解除方法が提供され、方法は、ロック解除インターフェースがトリガされると、インターフェースに適用可能なロック解除パスワードを複数の所定組のパスワードから選択することと、ロック解除パスワードに一致するユーザ入力パスワードを受信することに応えて、インターフェースのロック状態を解除することとを含む。
【０００６】
本出願の第２態様により、ユーザインターフェースロック解除装置が提供され、装置は、ロック解除インターフェースがトリガされると、現在のロック解除インターフェースに適用可能なロック解除パスワードを複数の所定組のパスワードから選択するように構成される選択ユニットと、ロック解除パスワードに一致するユーザ入力パスワードを受信することに応えて、インターフェースのロック状態を解除するように構成されるロック解除ユニットとを含む。
【０００７】
上記の技術的解決法から分かる通り、本出願は交替方式で有効になる複数組のロック解除パスワードを設定する。１組のパスワードが覗かれたとしても、実際に有効なロック解除パスワードが選択され得る。その結果、覗かれたパスワードはユーザインターフェースのロック状態を解除するために使用することができず、これによりセキュリティ改善が促される。
【図面の簡単な説明】
【０００８】
【図１】本出願の例示的な実施形態に係る、ユーザインターフェースロック解除方法のフローチャートである。
【図２】本出願の別の例示的な実施形態に係る、ユーザインターフェースロック解除方法のフローチャートである。
【図３】本出願の例示的な実施形態に係る、インターフェースの模式図である。
【図４】本出願の例示的な実施形態に係る、インターフェースの模式図である。
【図５】本出願の例示的な実施形態に係る、インターフェースの模式図である。
【図６】本出願の例示的な実施形態に係る、インターフェースの模式図である。
【図７】本出願の例示的な実施形態に係る、インターフェースの模式図である。
【図８】本出願の例示的な実施形態に係る、電子装置の模式的な構造図である。
【図９】本出願の例示的な実施形態に係る、ユーザインターフェースロック解除装置のブロック図である。
【発明を実施するための形態】
【０００９】
以下の実施形態は、本出願のさらに詳細な説明のために提供される。
【００１０】
図１を参照すると、図１は本出願の例示的な実施形態に係る、ユーザインターフェースロック解除方法を示し、方法は端末において適用可能であり得る。方法は以下のステップを含む。
【００１１】
ステップ１０２では、ロック解除インターフェースがトリガされると、現在のロック解除インターフェースに適用可能なロック解除パスワードを複数の所定組のパスワードから選択する。
【００１２】
本実施形態では、ユーザは各ロック解除インターフェースに対応する複数組のパスワードを事前に設定してもよい。パスワードの数は、例えば、３組または５組など必要に応じて設定してもよい。パスワードの特定の数は本出願では限定されない。各ロック解除インターフェースは対応するアプリケーションを有し、ロック解除インターフェースは、アプリケーション内のデータまたは情報にアクセスするユーザの権限を制限するために使用される。アプリケーションは、例えば、（携帯電話のロック画面インターフェースに対応する）デスクトップローディングプログラムまたは端末にインストールされる「Ａｌｉｐａｙ（商標）」などの任意のＡＰＰ（アプリケーション）などである。
【００１３】
本実施形態では、様々なロック解除インターフェースは対応する組のパスワードを個別に備えてもよい。代替的には、同じ組のパスワードが複数のロック解除インターフェースに共有されてもよい。
【００１４】
本実施形態では、ユーザがロック解除インターフェースをトリガする度に、現在の有効パスワード（つまりロック解除パスワード）が再選択され、これにより、既存技術における単一パスワードのみを選ぶ方式と比較して、セキュリティの改善が促される。
【００１５】
ステップ１０４は、ロック解除パスワードに一致するユーザ入力パスワードを受信することに応えて、インターフェースのロック状態をロック解除する。
【００１６】
上記の実施形態から分かる通り、本出願はロック解除インターフェースに対して複数組のパスワードを設定し、ロック解除インターフェースがトリガされると、同じロック解除インターフェースが複数のロック解除プロセスにおいて様々なロック解除パスワードに対応し得るよう、複数組のパスワードから有効なパスワードを選択する。その結果、ユーザにより入力されたロック解除パスワードが他者に覗かれたとしても、同じパスワードでは対応するロック解除インターフェースのロック解除ができない可能性が非常に高く、これによりセキュリティが著しく向上する。
【００１７】
本出願の技術的解決法を以下の特定の適用シナリオを参照して詳細に説明する。図２を参照すると、図２は本出願の例示的な実施形態に係る、ユーザインターフェースロック解除方法を示し、方法は以下のステップを含む。
【００１８】
ステップ２０２は、ユーザ操作に従って、複数組のパスワードを設定する。
【００１９】
本実施形態では、ユーザが複数組のパスワードを端末ロック画面インターフェースに対して設定すると仮定される。設定された複数組のパスワードは、端末ロック画面インターフェースのみに対して使用されてもよく、さらに別のロック画面インターフェースに適用可能であってもよい。ユーザは必要に応じて設定を行ってもよい。
【００２０】
端末のロック画面インターフェースに対してパスワードを設定する際、ユーザはまず図３に示す「パスワードロック」インターフェースに切り替え、パスワード関連のオプションを設定してもよい。図３に示す通り、端末は初期設定で設定された３組のパスワード、つまりパスワード１、パスワード２及びパスワード３を有し得る。明らかに、ユーザは、実際の要件に従って、２組のみのパスワードを選択してもよく、または「追加」を選択することによりさらなる組のパスワードを設定してもよい。図３に示す設定インターフェースでは、各組のパスワードの前に、対応する模様が提供される。パスワードの組が互いから効果的に区別できるよう、例えば、パスワード１は「〇」に対応し、パスワード２は「□」に対応し、パスワード３は「△」に対応する。ユーザがパスワード１を設定する必要がある場合、ユーザはパスワード１の後ろの「スライダ」アイコンをスライドすることにより、図４に示す「パスワード１を設定する」インターフェースに切り替えてもよい。
【００２１】
図４に示す通り、ユーザはインターフェースの下部にあるキーボードを介して入力操作を行ってもよく、これにより、パスワード１の設定を実施する。同時に、「区別識別子：○」がインターフェース上に表示され、ユーザに、係る模様とパスワード１との間の連想記憶を行うように促す。したがって、使用中の正確な入力が実現できる。
【００２２】
ステップ２０４はロック解除インターフェースをトリガする。
【００２３】
本実施形態では、端末のロック画面インターフェースが実施例として使用される。端末上の「電源ボタン」、「音量ボタン」、「ホームボタン」または別の種類の物理的ボタンの押下を検出することに応えて、トリガが発生してもよい。さらに、ライトの変更、空間的位置の変更または別のパラメータが所定パラメータを満たすことを検出することに応えて、トリガが発生してもよい。特定の実施形態は端末の画面を非表示状態（つまり、「ブラック画面」）から表示状態に切り換えることを含む。端末のＡＰＰは実施例として使用される。対応するプログラムアイコンの押下を検出することに応えて、対応するロック解除インターフェースがトリガされてもよい。
【００２４】
ステップ２０６は直近で使用された履歴パスワードを決定する。
【００２５】
本実施形態では、現在のトリガ及びロック解除動作が、端末のロック画面インターフェース上で行われる（Ｎ＋１）回目のものである場合、「直近で使用された履歴パスワード」は、Ｎ回目にロック解除動作が端末のロック画面インターフェース上で行われる際に使用されるパスワードである。
【００２６】
【表１】
0006676623.tif 000002
【００２７】
具体的には、「直近で使用された履歴パスワード」を判定するために、各組のパスワードの利用可能状態にマークを付けてもよい。例えば、ユーザは端末ロック画面インターフェースに対する３組のパスワード、つまり表１に示す通り、「パスワード１：１３６２」、「パスワード２：０７２４」及び「パスワード３：２０１４」を設定する。パスワード１に対応する無効識別子の値は１であり、パスワード２及びパスワード３に対応する無効識別子の値は０である。これは、パスワード１がＮ回目に使用されたパスワード（つまり「直近で使用された履歴パスワード」）であることを示す。
【００２８】
ステップ２０８は現在の有効パスワードを決定する。
【００２９】
本実施形態では、「最近適用された履歴パスワード」がパスワード１であると判定すると、現在のロック解除操作に適用されるロック解除パスワード、つまり「現在の有効パスワード」が残りのパスワード２及びパスワード３の中から選択されてもよい。したがって、Ｎ番目のロック解除操作中に他人により記録されていたとしても、パスワード１は現在の（Ｎ＋１）番目のロック解除操作に使用することはできない。
【００３０】
例示的な実施態様では、現在の有効パスワードが選択されると、複数組のパスワードの所定順序に従って、残りのパスワード２及びパスワード３が順次選択されてもよい。例えば、複数組のパスワードの順序が表１のエントリの配置順序、つまりパスワード１→パスワード２→パスワード３→パスワード１……である場合、パスワード１が無効パスワードになると、これに応じてパスワード２が現在の有効パスワードとして選択されることになる。同様に、パスワード２が無効パスワードになると、次はパスワード３が現在の有効パスワードとして選択されることになる。パスワード３が無効パスワードになると、次はパスワード１が現在の有効パスワードとして選択されることになる。複数組のパスワードの順序が別の順序、つまりパスワード１→パスワード３→パスワード２→パスワード１……である場合、パスワード１が無効パスワードになると、次はパスワード３が現在の有効パスワードとして選択されることになる。同様に、パスワード２が無効パスワードになると、次はパスワード１が現在の有効パスワードとして選択されることになり、パスワード３が無効パスワードになると、次はパスワード２が現在の有効パスワードとして選択されることになる。
【００３１】
別の例示的な実施態様では、表１の複数組のパスワードに対応するエントリの記憶位置に従って、無効パスワードの隣のパスワードが現在の有効パスワードとしてさらに選択されてもよい。例えば、パスワード１が無効パスワードである場合、パスワード１の隣のパスワード２が有効パスワードとして選択されてもよい。
【００３２】
別の例示的な実施態様では、１組のパスワードは、現在の有効パスワードとして、無効パスワード以外の残りの全てのパスワードの中からランダムに選択されてもよい。
【００３３】
明らかに、別の例示的な実施形態として、ステップ２０６及びステップ２０８は現在の有効パスワードを選択するために使用されなくてもよく、現在の有効パスワードは、端末ロック画面インターフェースがトリガされる度に、対応する複数組のパスワードから直接ランダムに選択され、パスワード選択のランダム性によるセキュリティを保証してもよい。
【００３４】
ステップ２１０は、決定された現在の有効パスワードに従って、対応するプロンプト動作を行う。
【００３５】
本実施形態では、プロンプト動作を行うことにより、正当な使用許可を有するユーザが現在の有効パスワードを知り、正しいパスワードを入力し得る。プロンプト動作を行う多数の手法が存在し、プロンプト動作とパスワードとの間の一意の対応を確立できる任意の手法が本出願の技術的解決法に適用可能である。
【００３６】
例示的な実施態様では、図３のパスワード１、パスワード２及びパスワード３のそれぞれは対応する模様を個別に有する。したがって、対応する模様が端末ロック画面インターフェース上に表示され、プロンプト動作を実施し得る。例えば、図５に示す通り、現在の有効パスワードがパスワード１である場合、「パスワード表示ボックス」はパスワード１に対応する「○」、つまり図５（ａ）に示す「○○○○」（ここで○の数はパスワードの桁数に相当し、つまり本実施例のパスワードは４桁を有する）として設定されてもよい。現在の有効パスワードがパスワード２の場合、「パスワード表示ボックス」はパスワード２に対応する「□」、つまり図５（ｂ）に示す「□□□□」として設定されてもよい。現在の有効パスワードがパスワード３の場合、「パスワード表示ボックス」はパスワード３に対応する「△」、つまり図５（ｃ）に示す「△△△△」として設定されてもよい。
【００３７】
事実、図５に示す実施例の「○」、「□」及び「△」などすべての模様は、視覚識別情報、つまり視覚的差異による認識及び差異化のための識別情報に属する。同様に、様々なパスワードの効果的な差異化は、例えば、画像、動画、背景色、包含される数字ボタンもしくは文字色、パスワード表示ボックスの色等により実施されてもよい。
【００３８】
さらに、他の形態のプロンプト動作をさらに使用して様々なパスワード間の区別を実現してもよい。例えば、別の例示的な実施態様として、プロンプト情報がマルチメディアファイル、つまり音声ファイル、ビデオファイル等である場合、マルチメディアファイルを再生し、音声の観点または音声及び視覚の観点からパスワードにマーク付けしてもよい。具体的には、図６に示す再生ボタンを端末ロック解除インターフェース上に設定してもよく、ボタンをクリックすることにより、対応するマルチメディアファイルを再生してもよい。別の実施例では、別の例示的な実施態様として、プロンプト情報が振動制御情報である場合、制御端末により様々な振動効果（振動強度及び振動時間等など）を実施し、パスワードを識別してもよい。当業者は、特定の形態のプロンプト動作が本明細書に限定されるわけではなく、複数組のパスワードを区別できる任意の技術的手段が本出願の技術的解決法に適用可能であることを理解すべきである。
【００３９】
ステップ２１２は、ユーザにより入力されたパスワードを受信する。
【００４０】
本実施形態では、パスワードが表１に示す数字のパスワード、例えば、パスワード１「１３６２」である場合、ユーザは図５（ａ）の数字キーパッドを通じて、対応する数字の組合せを入力してもよい。明らかに、「数字のパスワード」は本出願のロック解除パスワードの例示的な実施態様にすぎない。別の例示的な実施態様では、ロック解除パスワードは、例えば、図７に示す「ジェスチャパターン」を使用してもよい。
【００４１】
例えば、図７（ａ）の各ノードは「○」であり、現在の有効パスワードは表１に示すパスワード１である。図７（ｂ）の各ノードは「□」であり、現在の有効パスワードは表１に示すパスワード２である。図７（ｃ）の各ノードは「△」であり、現在の有効パスワードは表１に示すパスワード３である。明らかに、当業者は、特定形態のロック解除パスワードが本明細書に限定されるわけではなく、他の形態のロック解除パスワードが明らかに本出願の技術的解決法に適用可能であることを理解すべきである。
【００４２】
ステップ２１４はユーザにより入力されたパスワードが現在の有効パスワードに一致するかどうかを判定し、一致する場合はステップ２１６に進み、それ以外の場合はステップ２１８に進む。
【００４３】
ステップ２１６はステップ２２０に進み、ロック解除は成功する。
【００４４】
ステップ２１８はステップ２１２に進み、ロック解除は失敗する。
【００４５】
ステップ２２０は現在のパスワードに対して無効識別子を追加し、ステップ２０６で決定された履歴パスワード（つまり「直近で使用された履歴パスワード」）の無効識別子を取り除く。
【００４６】
本実施形態では、ステップ２０６で「直近で使用された履歴パスワード」が「無効識別子」により識別された後、ステップ２１４でユーザにより入力されたパスワードが現在の有効パスワードに一致するため、端末ロック画面インターフェースがロック解除される。したがって、端末ロック画面インターフェース上で行われる（Ｎ＋１）番目のロック解除操作が完了し、「直近で使用された履歴パスワード」は、（Ｎ＋１）番目のロック解除操作が端末ロック画面インターフェース上で行われる際に使用されるパスワードに更新される。
【００４７】
例えば、表２に示す通り、（Ｎ＋１）回目に使用されるロック解除パスワードがパスワード２の場合、パスワード２に対応する無効識別子の値を「１」に修正する必要があり、パスワード１に対応する無効識別子の値を「０」に修正する必要がある。したがって、トリガ及びロック解除操作が端末ロック画面インターフェースで（Ｎ＋２）回目に行われる場合、パスワード２は選択されないだろう。
【００４８】
【表２】
0006676623.tif 000003
【００４９】
さらに、以下に留意されたい。
【００５０】
明らかに、ステップ２１０などの図２に示すプロンプト動作を行うためのステップは必須でなくてもよい。例えば、例示的な実施態様では、ユーザは、例えば、複数組のパスワードが順次有効になること、各組のパスワードは対応期間内に有効になること、各組のパスワードは対応する地理的位置で有効になること、現在のロック解除インターフェースのロック解除制御タイプ等の、ロック解除パスワードの複数組のパスワードからの選択方式を事前に知るか、または設定してもよい。したがって、ユーザは現在の状態または状況を基に、現在使用されるロック解除パスワードを判断してもよく、これによりロック解除操作を円滑に実施する。
【００５１】
「現在のロック解除インターフェースのロック解除制御タイプ」とは、例えば、「キーボード入力」タイプ（図４〜図６に示す）、「９の格子模様」タイプ（３×３＝９の接点を含み、図７に示す）及び「１６の格子模様」タイプ（「９の格子模様」タイプと同様に４×４＝１６の接点を含み、図示せず）などの、同じロック解除インターフェースに対する複数タイプのロック解除制御が使用されてもよいと理解され得る。対応するロック解除パスワードが現在のロック解除インターフェースで使用されるロック解除制御タイプを基に決定され得るよう、ユーザは各ロック解除制御タイプに対応する個別のパスワードを設定してもよい。これに応じて、同じロック解除制御タイプのパスワードは、例えば、（「キーボード入力」タイプのロック解除制御に対応して）入力する必要のある文字タイプまたは（「９の格子模様」タイプもしくは「１６の格子模様」タイプのロック解除制御に対応する）ジェスチャタイプの全てである、本出願の「複数組のパスワード」として使用されてもよい。代替的には、複数のロック解除制御タイプのパスワードをさらに使用してもよい。
【００５２】
図８は、本出願の例示的な実施形態に係る、電子装置の模式的な構造図である。図８を参照すると、ハードウェアレベルで、電子装置はプロセッサ（複数可）、内部バス、ネットワークインターフェース、メモリ及び不揮発性記憶装置を含み、明らかに、他のサービスに必要なハードウェアをさらに含んでもよい。プロセッサ（複数可）は対応するコンピュータプログラムを不揮発性記憶装置からメモリに読み出し、コンピュータプログラムを実行し、これにより論理レベルでユーザインターフェースロック解除装置を形成する。明らかに、ソフトウェアの実施態様以外では、本出願は、論理装置の形態またはソフトウェア及びハードウェアの組み合わせにおける実施態様などの他の実装を除外するわけではない。換言すると、以下の処理フローのエンティティを実行することは、種々の論理ユニットを含んでもよいがこれらに限定されず、さらにハードウェアまたは論理装置を含んでもよい。
【００５３】
図９を参照すると、ソフトウェアの実施態様では、ユーザインターフェースロック解除装置は選択ユニット及びロック解除ユニットを含んでもよい。
【００５４】
選択ユニットは、ロック解除インターフェースがトリガされると、インターフェースに適用可能なロック解除パスワードを複数の所定組のパスワードから選択するように構成される。
【００５５】
ロック解除ユニットは、ロック解除パスワードに一致するユーザ入力パスワードを受信することに応えて、インターフェースのロック状態を解除するように構成される。
【００５６】
任意には、選択ユニットは、具体的には、現在のロック解除インターフェースに直近で適用された履歴パスワードを決定し、複数組のパスワードの残りのパスワードからロック解除パスワードを選択するように構成される。
【００５７】
任意には、選択ユニットは、具体的には、無効識別子を備える１組のパスワードを、履歴パスワードとして複数組のパスワードから選択するように構成される。
【００５８】
装置は、ロック解除パスワードに一致するユーザ入力パスワードが受信されると、ロック解除パスワードに対して無効識別子を追加し、履歴パスワードに対応する無効識別子を取り除くように構成される識別子処理ユニットをさらに含む。
【００５９】
任意には、選択ユニットは、具体的には、履歴パスワード及び複数組のパスワードの所定順序を基に、履歴パスワードの隣の１組のパスワードをロック解除パスワードとして使用するように構成される。
【００６０】
任意には、装置は、ロック解除パスワードに対応するプロンプト情報を決定し、プロンプト情報に従ってプロンプト動作を行うように構成されるプロンプトユニットをさらに含む。
【００６１】
任意には、プロンプト情報は、以下、すなわち視覚識別情報、マルチメディアファイル及び振動制御情報のうちの少なくとも１つを含む。
【００６２】
逐次的に有効になる複数組のロック解除パスワードを設定することにより、本出願は、したがって、特定組のパスワードが覗かれたとしても、実際に有効なロック解除パスワードを選択できる。その結果、覗かれたパスワードはユーザインターフェースのロック状態をロック解除するために使用することができず、これによりセキュリティの改善が促される。
【００６３】
典型的な構成では、計算装置は１つ以上のプロセッサ（ＣＰＵ）、入出力インターフェース、ネットワークインターフェース及びメモリを含む。
【００６４】
メモリは、例えば、非永続的記憶装置、ランダム・アクセス・メモリ（ＲＡＭ）及び／または読み出し専用メモリ（ＲＯＭ）もしくはフラッシュＲＡＭなどの非不揮発性内部ストレージなどのコンピュータ可読媒体の形態を含んでもよい。メモリはコンピュータ可読媒体の一実施例である。
【００６５】
コンピュータ可読媒体は、永続型または非永続型の取り外し可能または取り外し不可能な媒体を含んでもよく、任意の方法または技術を使用する情報の記憶を実現してもよい。情報は、コンピュータ可読命令、データ構造、プログラムモジュールまたは他のデータを含んでもよい。コンピュータ記憶媒体の実施例は、相変化メモリ（ＰＲＡＭ）、スタティック・ランダム・アクセス・メモリ（ＳＲＡＭ）、ダイナミック・ランダム・アクセス・メモリ（ＤＲＡＭ）、他の種類のランダム・アクセス・メモリ（ＲＡＭ）、読み出し専用メモリ（ＲＯＭ）、電気的消去可能プログラム可能読み出し専用メモリ（ＥＥＰＲＯＭ）、クイック・フラッシュ・メモリもしくは他の内部記憶技術、コンパクトディスク読み出し専用メモリ（ＣＤ−ＲＯＭ）、デジタル多用途ディスク（ＤＶＤ）もしくは他の光ストレージ、磁気カセットテープ、磁気ディスクストレージもしくは他の磁気記憶装置、または計算装置によってアクセスされ得る情報を記憶するために使用され得る任意の他の非伝送媒体を含むが、これらに限定されるものではない。本明細書に定義される通り、コンピュータ可読媒体は変調されたデータ信号及び搬送波などの一時的な媒体を含まない。
【００６６】
「ｃｏｍｐｒｉｓｅ（備える）」、「ｉｎｃｌｕｄｅ（含む）」などの用語及びその任意の他の変形形態は非排他的な包含を網羅することを意図することが、さらに留意されるべきである。一連の要素を含むプロセス、方法、製品または装置はこれらの要素を含むだけではなく、明示的に列挙されない他の要素を含み、あるいは係るプロセス、方法、製品または装置に既に存在する要素をさらに含む。追加の限定がない状況では、語句「ｉｎｃｌｕｄｅ  ａ／ａｎ…（を含む）」により定義される要素は、任意の他の類似要素がプロセス、方法、製品または装置に存在することを排除するものではない。
【００６７】
上記の説明は本出願の好適な実施形態にすぎず、本出願を限定する目的はない。本出願の精神及び原則を逸脱することなく成される任意の変更形態、均等物置換及び改良は、本出願の保護範囲に該当するものとする。
【図１】
0006676623.tif 000004
【図２】
0006676623.tif 000005
【図３】
0006676623.tif 000006
【図４】
0006676623.tif 000007
【図５】
0006676623.tif 000008
【図６】
0006676623.tif 000009
【図７】
0006676623.tif 000010
【図８】
0006676623.tif 000011
【図９】
0006676623.tif 000012